(57)【要約】【課題】牛乳受け箱の上部に対する蓄冷剤の設置、取り出し作業を片手で簡単、迅速に行う。【解決手段】牛乳受け箱１は、上面が開口された箱本体２と、該箱本体２にヒンジで取り付けられて前記箱本体２の開口２ａを開閉する蓋部材３とを備え、前記蓋部材３の内側には、蓄冷剤４を着脱自在に設置できるポケット５が設けられている。蓋部材３を開けて箱本体２内に宅配した牛乳を収納する際に、予め冷凍されている蓄冷剤４を、片手で掴んで開口部５ａを通してポケット５の内部に挿入して設置し、また、使用済みの蓄冷剤４を片手で掴んでポケット５内から回収する。それらの作業は両手を使わずに簡単、迅速に行える。【選択図】        図１
2004271026.tif 000002
【特許請求の範囲】
【請求項１】
上面が開口された箱本体と、該箱本体にヒンジで取り付けられて前記開口を開閉する蓋部材とを備えた牛乳受け箱であって、該牛乳受け箱の内部の上方位置に、蓄冷剤を着脱自在に設置できるポケットが設けられていることを特徴とする牛乳受け箱。
【発明の詳細な説明】
【０００１】
【発明の属する技術分野】
本発明は、消費者宅の玄関先、勝手口などで宅配牛乳を配達後一時保管するための牛乳受け箱に関するものである。
【０００２】
【従来の技術】
従来、この種の牛乳受け箱として、上面が開口され内部に牛乳瓶を運搬する籠を格納、取り出し自在に設けた箱本体に、前記開口を開閉する蓋部材をヒンジで取り付けるとともに、該蓋部材の内側に蓄冷剤を複数の固定バンドなどの保持具によって固定して設け、外気が牛乳の保存温度より高い場合でも、前記蓋部材側からの熱で牛乳が温度上昇するのを抑制し、牛乳を長時間保冷できるようにしたものが知られている（例えば、特許文献１参照）。
【０００３】
【特許文献１】
特開平１１−３２９００号公報
【０００４】
【発明が解決しようとする課題】
しかしながら、上記従来の牛乳受け箱においては、前記蓋部材の内側に設ける蓄冷剤が固定バンドなどの保持具で固定するものであるので、牛乳瓶の配達時に牛乳配達業者が予め凍結させた蓄冷剤を牛乳受け箱内に設置したり、牛乳瓶の回収時に使用済みの蓄冷剤を回収する際に、一方の手で前記保持具を緩めた状態にして、他方の手で前記蓄冷剤を掴んで蓋部材に対して着脱しなければならず、片手で着脱作業が簡単に行えない不便があった。
【０００５】
本発明は、上記事情に鑑みてなされたものであって、牛乳受け箱の上部に対して蓄冷剤を設置したり、取り出す着脱作業を片手で簡単、迅速に行うことができる牛乳受け箱を提供することを目的とする。
【０００６】
【課題を解決するための手段】
上記目的を達成するために、本発明の請求項１に係る牛乳受け箱は、上面が開口された箱本体と、該箱本体にヒンジで取り付けられて前記開口を開閉する蓋部材とを備えた牛乳受け箱であって、該牛乳受け箱の内部の上方位置に、蓄冷剤を着脱自在に設置できるポケットが設けられていることを特徴としている。
【０００７】
【発明の実施の形態】
以下、本発明の一実施の形態に係る牛乳受け箱について、図１を参照して説明する。
図１において、１は本発明の一実施の形態に係る牛乳受け箱である。該牛乳受け箱１は、上面が開口され、他の５面が閉鎖された直方体の箱本体２と、該箱本体２の開口２ａ側（図１で上端側）における一辺２ｂに、一辺３ａがヒンジ（図示せず）を介して取り付けられ、上下方向に回動して前記開口２ａを開閉する扁平な直方体状の蓋部材３とを備えている。前記箱本体２は複数本の牛乳瓶が収納できる大きさとなっている。
前記蓋部材３は、前記箱本体２の開口２ａに対向する側に該開口２ａに整合する矩形の開口３ｂを有し、前記一辺３ａに直角な辺に配した一対の蒲鉾状の側面部３ｃ、３ｃに、該側面部３ｃ，３ｃの外周部に沿うように曲面状の天板部３ｄを接合して構成されている。
【０００８】
前記蓋部材３には、その開口３ｂ側に、蓋部材３の内側に蓄冷剤４を開口部５ａを通して着脱自在に設置できるポケット５が設けられている。該ポケット５は、平板状部材５ｂの両端部５ｃ，５ｃを折り曲げて横断面（図１で上方から見た状態）がコの字状に形成され、前記蓋部材３の側面部３ｃ，３ｃの辺における略中央の位置から前記一辺３ａの内側の位置に至る大きさの幅（図１では高さということができる）を有し、前記両端部５ｃ，５ｃが前記側面部３ｃ，３ｃの内側に固定されている。
【０００９】
さらに、前記ポケット５は、前記平板状部材５ａが、前記蓋部材３の一辺３ａ側の端部よりも側壁部３ｃ，３ｃの中央側の端部を、前記蓋部材３の開口３ｂから外側にやや大きく突出するようにして僅かに傾斜した状態とされ、前記開口部５ａが奥部より広くされて、前記蓄冷剤４をポケット５の内部に挿入、設置し易いようになっている。また、前記平板状部材５ａには、前記側面部３ｃ，３ｃに沿う方向に長い長穴５ｄが、前記一辺３ａに沿う方向に所定間隔をあけて複数個設けられ、前記蓄冷剤４の冷熱が箱本体２内に収納された牛乳瓶に伝わりやすくなっている。
【００１０】
前記構成の実施の形態に係る牛乳受け箱１においては、従来の牛乳受け箱と同様に、消費者宅の玄関先、勝手口などに設置されて使用される。牛乳販売店の配達店員が宅配した牛乳を、前記蓋部材３を開けて箱本体２の内部へ収納するとともに、予め凍結させておいた蓄冷剤４を前記蓋部材３に設けたポケット５内に、その開口部５ａから挿入、設置した後、蓋部材３を閉じる。この状態では、外気が牛乳の所定の保存温度より高い場合でも、箱本体内２に収納された牛乳は、前記蓋部材３のポケット５内に設置した蓄冷剤４によって、上部の温度上昇効果的に抑制され、長時間保冷されることにより、その鮮度を維持することができる。
なお、前記牛乳受け箱１内に空の牛乳瓶や使用済みの蓄冷剤４がある場合には、それらを箱本体２とポケット５の内部から取り出してから、新しい牛乳瓶や蓄冷剤４を収納、設置する交換作業を行うことは言うまでもない。
【００１１】
前記のように、蓋部材３の内側に蓄冷剤４を設置し、またはそこから取り出す場合には、配達店員が片手で蓄冷剤４を掴んで前記ポケット５内に挿入し、またはポケット５内から取り出すだけで済み、従来の牛乳受け箱のように、一方の手で蓋部材に設けた固定バンドなどの保持具を緩めた状態にして、他方の手で蓄冷剤を前記保持具から抜き出し、または保持具へ挿入するような煩わしい動作をする必要がない。
したがって、実施の形態に係る牛乳受け箱１によれば、前記蓋部材３の内側（牛乳受け箱１の上部）に対して蓄冷剤４を設置したり、取り出す作業（着脱作業）を、両手を使用することなく、片手で簡単、迅速に行うことができる。
【００１２】
次に、本発明の他の実施の形態に係る牛乳受け箱６について図２を参照して説明する。なお、前記実施の形態に係る牛乳受け箱１と同一の構成部分には同一の符号を付して、それらの構成についての詳細説明は省略する。
前記牛乳受け箱６は、前記箱本体２と、該箱本体２に取り付けられた蓋部材３と、箱本体２の内部に挿入、抜き出し自在に設けられた籠７とを備えている。
前記籠７は、上端部に矩形の保形枠８と、該保形枠８の下側に取り付けられ、上端が開口した有底の直方体状の籠部材９と、前記保形枠８の対向する二辺（図２の例では、前記箱本体２の一辺２ｂに直角な方向の二辺に対応する二辺）の中央部に、両端部をピン１０，１０で連結されて、該二辺に沿う方向で上下に回動可能な、コ字状に折り曲げて形成された把手１１とを備え、内部に複数の牛乳瓶を収納して手に提げて持ち運び可能となっている。前記籠７の高さは前記箱本体２の高さとほぼ同一とされている。
【００１３】
前記保形枠８の下端の内周部には、籠７内に牛乳瓶を挿入する十分な開口８ｂをあけられるようして、内側に突出したフランジ８ａが設けられており、該フランジ８ａの上面に前記蓄冷剤４の両端部を載置したり、その上面から取り外せるようになっている。前記フランジ８ａを設けた保形枠８は、牛乳受け箱６の上部に前記蓄冷剤４を着脱自在に設置するポケット１２を構成している。
【００１４】
この実施の形態に係る牛乳受け箱６においては、配達店員が宅配した牛乳を、前記蓋部材３を開けて、箱本体２内の籠７の内部へ開口部８ｂから挿入して収納すると共に、予め凍結させておいた蓄冷剤４を前記籠７の保形枠８のフランジ８ａの上に載せた後、前記蓋部材３を閉じる。この状態では、外気が牛乳の所定の保存温度より高い場合でも、籠７内に収納された牛乳は、前記フランジ８ａ上に載せた蓄冷剤４によって、上部の温度上昇が効果的に抑制され、長時間保冷されることにより、その鮮度を維持することができる。
【００１５】
なお、前記牛乳受け箱６の場合においても、前記籠７内に空の牛乳瓶や使用済みの蓄冷剤４があるときには、それらを籠７の内部から取り出してから新しい牛乳瓶や蓄冷剤４を収納、設置する交換作業を行うことは言うまでもない。
また、前記牛乳受け箱６の場合は、配達店員が牛乳を配達する際や、消費者が牛乳を屋内へ取り込む際には、必要に応じて、牛乳瓶を収納した前記籠７を、その上部に蓄冷剤４を設置した状態で、前記箱本体２に収納し、またはそれから取り出して運搬することができる。
【００１６】
したがって、この実施の形態に係る牛乳受け箱６によれば、配達店員が片手で蓄冷剤４を掴んで前記籠７のフランジ８ａ上に載せたり、そこから取り出すことができるので、前記実施の形態に係る牛乳受け箱１の場合と同様に、牛乳受け箱６の上部に対して蓄冷剤４を設置したり、取り出しす作業（着脱作業）を、両手を使用することなく、片手で簡単、迅速に行うことができる。
【００１７】
【発明の効果】
以上説明したように、本発明は、上面が開口された箱本体と、該箱本体にヒンジで取り付けられて前記開口を開閉する蓋部材とを備えた牛乳受け箱であって、該牛乳受け箱の内部の上方位置に、蓄冷剤を着脱自在に設置できるポケットが設けられた構成としたので、前記蓄冷剤を片手で掴んで前記ポケットに設置したり、該ポケットから取り出すだけで、牛乳受け箱内の上部に対する蓄冷剤の着脱を楽に行うことができ、その着脱作業を、従来のように両手を煩わさずことなく、片手のみで簡単、迅速に行うことができる。
【図面の簡単な説明】
【図１】本発明の一実施の形態に係る牛乳受け箱を示す斜視図である。
【図２】本発明の他の実施の形態に係る牛乳受け箱を示す斜視図である。
【符号の説明】
１，６  牛乳受け箱
２  箱本体
２ａ，３ｂ  開口
３  蓋部材
４  蓄冷剤
５，１２  ポケット
７  籠
８  保形枠
８ａ  フランジ
９  籠部材
１１  把手
【図１】
2004271026.tif 000003
【図２】
2004271026.tif 000004